(57)【要約】  電子機器から音声信号を受信する入力部と、電気信号を可聴音に変換するための電気音響スピーカを有する少なくとも１つのイヤホンとを含むヘッドセット。ヘッドセットは、周囲音を受信し、この周囲音を周囲音信号に変換する少なくとも１つのマイクをさらに含む。さらに、ヘッドセットは、入力部と少なくとも１つのイヤホンとを備えた一体型ユニットとして形成された処理回路を含む。この処理回路は、電子機器からの音声信号を少なくとも１つのマイクから得られる周囲音信号と合成し、これらの合成信号を少なくとも１つのイヤホンへ出力し、それによって電気音響スピーカが、音声信号から得られる可聴音と組み合わされた周囲音を再生するようにした回路構成を含む。
2009529275.tif 000002
【特許請求の範囲】
【請求項１】
可聴音を再生するためのヘッドセットであって、
音声信号を電子機器から受信する入力部と、
電気信号を可聴音に変換するための電気音響スピーカを有する少なくとも１つのイヤホンと、
周囲音を受信し、該周囲音を周囲音信号に変換する少なくとも１つのマイクと、
前記入力部と前記少なくとも１つのイヤホンとを備えた一体型ユニットとして形成される処理回路と、を備え、
前記処理回路は、前記電子機器からの前記音声信号を前記周囲音信号と合成し、前記合成信号を前記少なくとも１つのイヤホンへ出力する回路を含み、
前記電気音響スピーカは、前記音声信号から得られる可聴音と組み合わされた前記周囲音を再生することを特徴とするヘッドセット。
【請求項２】
前記入力部は、前記電子機器と直接接続するように構成された電気コネクタを備えることを特徴とする請求項１に記載のヘッドセット。
【請求項３】
前記電気コネクタは、オーディオプラグタイプのコネクタを備えることを特徴とする請求項２に記載のヘッドセット。
【請求項４】
前記処理回路は第１のオーディオケーブルを介して前記電気コネクタに結合され、第２のオーディオケーブルを介して前記少なくとも１つのイヤホンに結合されており、これらすべては前記一体型ユニットの一部として形成されていることを特徴とする請求項２に記載のヘッドセット。
【請求項５】
前記電子機器は携帯電話であることを特徴とする請求項２に記載のヘッドセット。
【請求項６】
前記入力部は、前記電子機器に含まれるインタフェースと通信を行う低出力無線インタフェースを備えることを特徴とする請求項１に記載のヘッドセット。
【請求項７】
前記低出力無線インタフェースはブルートゥースインタフェースであることを特徴とする請求項６に記載のヘッドセット。
【請求項８】
前記電子機器は携帯電話であることを特徴とする請求項６に記載のヘッドセット。
【請求項９】
前記ヘッドセットは、前記音声信号から得られる可聴音と前記周囲音とを再生するための電気音響スピーカを個々に含む一対のイヤホンを備えることを特徴とする請求項１に記載のヘッドセット。
【請求項１０】
前記ヘッドセットは一対のマイクを備え、個々のマイクは上記一対のイヤホンのそれぞれのイヤホンの中に含まれることを特徴とする請求項９に記載のヘッドセット。
【請求項１１】
前記少なくとも１つのイヤホンは耳栓式のイヤホンであることを特徴とする請求項１に記載のヘッドセット。
【請求項１２】
前記耳栓式のイヤホンは前記少なくとも１つのマイクを含むことを特徴とする請求項１１に記載のヘッドセット。
【請求項１３】
前記耳栓式のイヤホンは、ユーザの耳の中へ挿入された際に、耳の耳介によって形成される空洞部内に前記マイクが配置された状態となるように構成されることを特徴とする請求項１２に記載のヘッドセット。
【請求項１４】
可聴音を再生するためのヘッドセットであって、
電子機器から音声信号を受信する入力部と、
電気信号を可聴音に変換するための電気音響スピーカを有する少なくとも１つのイヤホンと、
周囲音を受信し、前記周囲音を周囲音信号に変換する少なくとも１つのマイクと、
処理回路と、を備え、
前記処理回路は、前記電子機器からの前記音声信号を前記少なくとも１つのマイクから得られる前記周囲音信号と合成し、前記合成信号を前記少なくとも１つのイヤホンへ出力する回路を含み、
前記電気音響スピーカは、前記音声信号からの可聴音と組み合わされた前記周囲音を再生し、
前記少なくとも１つのイヤホンは、前記少なくとも１つのマイクを含み、
さらに、前記イヤホンは、ユーザの耳の中へ挿入された際に、耳の耳介によって形成される空洞部内に前記マイクが配置された状態となるように構成されることを特徴とするヘッドセット。
【請求項１５】
前記ヘッドセットは一対のイヤホンを備え、各イヤホンはそれぞれの電気音響スピーカと、対応するマイクとを含み、前記それぞれの電気音響スピーカは、前記対応するマイクによって受信された前記周囲音を再生することを特徴とする請求項１４に記載のヘッドセット。
【請求項１６】
前記処理回路は、該処理回路が前記音声信号と前記周囲音信号とを合成する合成比率を調整するための、ユーザにより調整可能な混合回路構成を備えることを特徴とする請求項１４に記載のヘッドセット。
【請求項１７】
前記処理回路は、前記合成信号のボリュームを前記比率に左右されずに調整するための、ユーザにより調整可能なボリューム調整回路を備えることを特徴とする請求項１６に記載のヘッドセット。
【請求項１８】
前記処理回路は、前記入力信号の振幅の変化を補償し、それによって、前記比率が一定状態となるようにするための利得制御回路を備えることを特徴とする請求項１６に記載のヘッドセット。
【請求項１９】
前記処理回路は、前記入力信号を、実質的な変更を伴うことなく前記少なくとも１つのイヤホンまで伝達することを可能にするバイパス回路構成を備えることを特徴とする請求項１４に記載のヘッドセット。
【請求項２０】
前記処理回路は、前記入力部と前記少なくとも１つのイヤホンとを備えた一体型ユニットとして形成されることを特徴とする請求項１４に記載のヘッドセット。
【請求項２１】
可聴音を再生するためのヘッドセットであって、
音声信号を電子機器から受信する入力部と、
電気信号を可聴音に変換するための電気音響スピーカを有する少なくとも１つのイヤホンと、
周囲音を受信し、該周囲音を周囲音信号に変換する少なくとも１つのマイクと、
前記処理回路と、を備え、
前記処理回路は、前記電子機器からの前記音声信号を前記周囲音信号と合成し、該合成信号を前記少なくとも１つのイヤホンへ出力する回路を含み、
前記電気音響スピーカは、前記音声信号から得られる可聴音と組み合わされた前記周囲音を再生し、
前記処理回路は、該処理回路が前記音声信号と前記周囲音信号とを合成する合成比率を調整するための、ユーザにより調整可能な混合回路構成を備えることを特徴とするヘッドセット。
【請求項２２】
前記処理回路は、前記合成信号のボリュームを前記比率に左右されずに調整するための、ユーザにより調整可能なボリューム調整回路を備えることを特徴とする請求項２１に記載のヘッドセット。
【請求項２３】
前記処理回路は、前記入力信号の振幅の変化を補償し、それによって、前記比率が一定状態を保つようにするための利得制御回路を備えることを特徴とする請求項２１に記載のヘッドセット。
【請求項２４】
前記処理回路は、前記入力信号を、実質的な変更を伴うことなく前記少なくとも１つのイヤホンまで伝達することを可能にするバイパス回路構成を備えることを特徴とする請求項２１に記載のヘッドセット。
【請求項２５】
前記少なくとも１つのイヤホンは、前記少なくとも１つのマイクを含み、前記イヤホンは、ユーザの耳の中へ挿入された際に、耳の耳介によって形成される空洞部内に前記マイクが配置された状態となるように構成されることを特徴とする請求項２１に記載のヘッドセット。
【請求項２６】
前記処理回路は、前記入力部と前記少なくとも１つのイヤホンとを備えた一体型ユニットとして形成されることを特徴とする請求項２１に記載のヘッドセット。
【発明の詳細な説明】
【技術分野】
【０００１】
本発明は一般に電子機器に関し、特に電子機器用ヘッドセットに関する。
【背景技術】
【０００２】
携帯電子装置をはじめとする電子機器は、ここ数十年の間に広く一般に普及し、現在も拡大を続けている。多くの最新の携帯電子装置が音響信号とビデオ信号の少なくともいずれかの録音又は再生機能を備えるか、あるいは録音又は再生を行うのに適した構成となっている。例えば、携帯用ＣＤやＤＶＤプレイヤ、ＭＰＥＧプレイヤ、ＭＰ−３プレイヤ等は、非常に多くの種類の娯楽を個人に提供することができる。少なくとも、音声による娯楽であるか、ビデオによる娯楽であるかにかかわらず、あらゆるユーザの好みを満たす非常に多くの携帯電子装置が存在する。
【０００３】
同様に、携帯電話の形式の携帯電子装置、ページャ、電子手帳などのコミュニケータ、パーソナル・デジタル・アシスタント（ＰＤＡ）、スマートフォン等もますます一般的となっている。このような装置では、ユーザが他の人と通信を行ったり、データを記憶したり加工したり、テキストを作成したりといった処理を、同じ装置内において何回でも行うことができる。
【０００４】
多くの場合、特定の（単複の）アプリケーションに応じて、携帯電子装置と組み合わされたヘッドセットが用いられる。このようなヘッドセットは１以上のスピーカを含んでおり、該スピーカは、典型的には、内耳型（内耳型ヘッドホン）か、耳掛け型（耳掛け型ヘッドホン）のいずれかの形で装着されるそれぞれのイヤホンハウジングの中に配置される。ヘッドセットを用いることにより、例えば、携帯電話のユーザがハンズフリーで討論することが可能となる。メディア・プレイヤの場合、個人的な試聴を行うにあたり、ヘッドセットを用いることにより、ユーザは、他の人に不快な思いをさせることがなくなる。
【０００５】
しかし、従来のヘッドセットには問題点がある。単独のイヤホン、又は音楽若しくはヘッドセットにより再生される別の可聴音と組み合わされたイヤホンは、周囲において生じた別の全ての音を完全に締め出す可能性がある。一般に、再生されている可聴音のボリュームが大きくなればなるほど、外の周囲音がユーザにより認識される蓋然性は低くなる。ユーザがこのような周囲音からの隔絶を望む場合もあるが、一方で、これらの周囲音をユーザが聞くことができないと望ましくない場合や、聞こえないと危険な場合もある。例えば、車が往来しているような場所でヘッドセットを着用しているユーザには、警察官の言っていることや緊急サイレンの音が聞こえないため、それによって潜在的に危険な状況が生み出されることが考えられる。ヘッドセットを着用しているユーザにとっては、社会的状況の中では、自分を取りまく周囲の環境において生じる音が聞こえることが望ましい。
【０００６】
過去のヘッドセットでは、再生される可聴音に加えて、周囲音を保持する試みがなされてきた。このようなヘッドセットには周囲音を拾うように設計された１以上のマイクを備えたヘッドセットが含まれる。そして、この周囲音は音声信号と組み合わされ、ヘッドセットによって再生されていた。
【発明の開示】
【発明が解決しようとする課題】
【０００７】
しかしながら、前述の試みは、所望の可聴音と共に、快適で、便利な周囲音の再生をユーザに提供するという点において不十分であった。例えば、従来のヘッドセットの場合、様々な種類の電子機器に使用されるという点に関して制限があった。さらに、従来のヘッドセットは、周囲音と、再生される可聴音との組み合わせに関して十分な制御機能をユーザに提供していなかった。さらに、従来のヘッドセットの場合、ユーザは、周囲音の空間特性を受け取って、理解するということができなかった。
【０００８】
従来のヘッドセットに関連する前述の欠点に鑑み、様々な種類の電子機器に使用するのに適したヘッドセットが、当業者において強く要望されている。さらに、再生される可聴音と周囲音との組み合わせを制御する機能を有するヘッドセットが、当業者において強く要望されている。またさらに、周囲音の空間特性を保持することが可能なヘッドセットが当業者において強く要望されている。
【課題を解決するための手段】
【０００９】
本発明の１つの側面によれば、可聴音を再生するためのヘッドセットが提供される。このヘッドセットは、電子機器から音声信号を受信する入力部と、電気信号を可聴音に変換するための電気音響スピーカを有する少なくとも１つのイヤホンとを含む。ヘッドセットは、周囲音を受信し、この周囲音を周囲音信号に変換する少なくとも１つのマイクをさらに含む。さらに、ヘッドセットは入力部と少なくとも１つのイヤホンとを備えた一体型ユニットとして形成される処理回路を含む。この処理回路は、電子機器から出される音声信号を少なくとも１つのマイクから得られる周囲音信号と合成し、少なくとも１つのイヤホンへこの合成信号を出力する回路を含み、それによって上記電気音響スピーカは、音声信号から得られる可聴音と組み合わされた周囲音を再生する。
【００１０】
特定の側面によれば、入力部は電子機器と直接接続する電気コネクタを含む。
【００１１】
別の側面によれば、電気コネクタはオーディオプラグタイプのコネクタを含む。
【００１２】
さらに別の側面によれば、処理回路構成は、第１のオーディオケーブルを介して電気コネクタと結合され、第２のオーディオケーブルを介して少なくとも１つのイヤホンと結合され、そして、これらすべては一体型ユニットの一部で構成する。
【００１３】
さらに別の側面では電子機器は携帯電話である。
【００１４】
別の側面に関して述べると、上記入力部は電子機器に含まれるインタフェースと通信を行う低出力無線インタフェースを備える。
【００１５】
さらに別の側面によれば、当該低出力無線インタフェースはブルートゥースインタフェースである。
【００１６】
さらに別の側面の場合、電子機器は携帯電話である。
【００１７】
さらに別の側面に関して述べると、ヘッドセットは、音声信号から得られる可聴音と周囲音とを再生するための電気音響スピーカを個々に含む一対のイヤホンを含む。
【００１８】
別の側面によれば、ヘッドセットは上記一対のイヤホンのそれぞれの中に個々に一対のマイクを含む。
【００１９】
別の側面によれば、この少なくとも１つのイヤホンは耳栓（earbud）式イヤホンである。
【００２０】
さらに別の側面によれば、この耳栓式イヤホンは少なくとも１つのマイクを含む。
【００２１】
さらに別の側面では、上記耳栓式イヤホンは、ユーザの耳の中へ挿入された際に、耳の耳介によって形成される空洞部内にマイクが配置された状態となるように構成される。
【００２２】
さらに別の側面に関して述べると、可聴音を再生するためのヘッドセットが提供される。このヘッドセットは電子機器から音声信号を受信する入力部を含み、少なくとも１つのイヤホンが、電気信号を可聴音に変換する電気音響スピーカと、周囲音を受信し、この周囲音を周囲音信号に変換する少なくとも１つのマイクとを有する。ヘッドセットは、処理回路をさらに含み、この処理回路は少なくとも１つのマイクから得られる周囲音信号と、電子機器から出される音声信号とを合成し、この合成信号を少なくとも１つのイヤホンへ出力して、電気音響スピーカが、上記音声信号から得られる可聴音と組み合わされた上記周囲音を再生するように構成された回路を含む。少なくとも１つのイヤホンが少なくとも１つのマイクを含み、このイヤホンは、ユーザの耳の中へ挿入された際に、耳の耳介によって形成される空洞部内にマイクが配置された状態となるように構成される。
【００２３】
別の側面によれば、ヘッドセットは、それぞれの電気音響スピーカと、対応するマイクを個々に含む一対のイヤホンとを含み、それぞれの電気音響スピーカは、対応するマイクによって受信された周囲音を再生する。
【００２４】
さらに別の側面によれば、処理回路は、該処理回路が音声信号と周囲音信号とを合成するための合成比率をユーザが調整できるようにするための混合回路構成を含む。
【００２５】
さらに別の側面によれば、処理回路は合成信号のボリュームを上記比率に左右されずに調整するための、ユーザにより調整可能なボリューム調整回路を含む。
【００２６】
さらに別の側面に関して述べると、処理回路は、上記比率が一定となるように入力信号の振幅の変化を補償する利得制御回路を含む。
【００２７】
別の側面に関して述べると、処理回路は、入力信号が実質的に変更を伴うことなく少なくとも１つのイヤホンまで到達することを可能にするバイパス回路構成を含む。
【００２８】
別の側面によれば、処理回路は入力部と少なくとも１つのイヤホンとを備えた一体型ユニットとして形成される。
【００２９】
本発明の別の側面によれば、音声再生用ヘッドセットが提供される。このヘッドセットには、電子機器から音声信号を受信する入力部と、電気信号を可聴音に変換するための電気音響スピーカを有する少なくとも１つのイヤホンとが含まれる。このヘッドセットはまた、周囲音を受信し、この周囲音を周囲音信号に変換する少なくとも１つのマイクと、処理回路とを含む。この処理回路は、電子機器からの音声信号を少なくとも１つのマイクから得られる周囲音信号と合成し、この合成信号を少なくとも１つのイヤホンへ出力して、電気音響スピーカが、音声信号からの可聴音と組み合わされた上記周囲音を再生するように構成された回路を含む。この処理回路はまた、音声信号と周囲音信号とを合成するための合成比率をユーザが調整できるようにするための混合回路構成を含む。
【００３０】
別の側面によれば、処理回路は合成信号のボリュームを上記比率に左右されずにユーザによって調整可能なボリューム調整回路を含む。
【００３１】
別の側面に関して述べると、処理回路は、比率が一定となるように入力信号の振幅の変化を補償する利得制御回路を含む。
【００３２】
さらに別の側面によれば、処理回路は、入力信号が実質的な変更を伴うことなく少なくとも１つのイヤホンまで到達することを可能にするバイパス回路構成を含む。
【００３３】
別の側面に関して述べると、上記少なくとも１つのイヤホンは少なくとも１つのマイクを含み、このイヤホンは、ユーザの耳の中へ挿入された際に、耳の耳介によって形成される空洞部内にマイクが配置された状態となるように構成される。
【００３４】
別の側面によれば、上記処理回路は、入力部と少なくとも１つのイヤホンとを備えた一体型ユニットとして形成される。
【００３５】
更に、上述の目的及び関連する目的を達成するために、本発明は、本願で以下に十分に説明する特徴であって、特に請求項において指摘される特徴を有するものとする。以下の説明及び付属図面は、本発明の一例である実施形態について詳細に記載するものである。これらの実施形態は、本発明の原理を採用することができる種々の方法のうちのほんのいくつかの方法を示すものにすぎない。本発明の別の目的及び新規の特徴は、図面とともに、本発明についての以下の詳細を参酌することにより明らかになるであろう。
【００３６】
「備える／備えている（comprises/comprising）」という用語は、本明細書で使用される場合、上述の特徴、数値、ステップ、処理、要素又はコンポーネントの少なくともいずれかの存在を特定する用語であるが、１つ以上の他の特徴、数値、ステップ、構成、又はこれらのグループの存在又は追加を除外するものではない。
【発明を実施するための最良の形態】
【００３７】
図面を参照しながら本発明について以下説明する。図面中、同じ要素に対しては、同じ参照番号が付されているものとする。
【００３８】
本明細書に記載されている「電子機器」という用語は、（例えばＣＤ、ＭＰ３、ＡＣ−３、．ＷＭＡ等の）デジタル音楽プレイヤ、（例えばＤＶＤ、ＭＰＥＧ、．ＷＭＶ等の）ビデオプレイヤ、（例えばＪＰＥＧ等の）写真プレイヤのような種々のフォーマットのメディア・プレイヤを含む個人用の携帯電子装置を含むものとする（但しこれらのフォーマットのみに限定されるものではない）。電子機器は、ＣＤ及びＤＶＤプレイヤのみならず、ますます普及しつつある「フラッシュメモリ」のような従来のメディア・プレイヤ、及び、種々のメディアファイルを記憶するために用いられる記憶装置を指す「ハードドライブ」タイプのメディア・プレイヤも含むものとする。電子機器には、専用のメディア・プレイヤのみならず、メディア・プレイヤを含む多機能装置も含まれるものとする。このような多機能装置には携帯用無線通信機器も含まれる。「携帯用無線通信機器」という用語は、本願では、携帯電話、ページャ、例えば電子手帳、パーソナル・デジタル・アシスタント（ＰＤＡ）、スマートフォン等のコミュニケータ等、すべての機器を含む「移動無線端末」も意味する。本明細書では、主として携帯電話という用語で本発明について説明する。しかし、本発明は携帯電話に限定されるものではなく、任意のタイプの電子機器であってもよいことは理解できよう。さらに、本発明は、主として携帯電話のような電子機器を介して行われる音楽の聴取という態様で説明するが、本発明はさらに一般的に言えば、音が再生されるいずれのタイプの電子機器に対しても適用できる。
【００３９】
図１は、本発明による電子機器１０を示している。本明細書で一例として説明する実施形態において、本明細書に記載の電子機器は携帯電話１０である。携帯電話１０は「レンガ」又は「ブロック」デザイン型ハウジングを有するものとして説明するが、本発明の範囲から逸脱することなく、シェルタイプのハウジング又はスライドタイプのハウジングのような別のタイプのハウジングを利用してもよいことは理解できよう。
【００４０】
携帯電話１０はディスプレイ１４とキーパッド１６を含む。一般に行われているように、ディスプレイ１４は、動作状態、時刻、電話番号、連絡先情報、種々のナビゲーションメニュー等の情報をユーザに対して表示する。これらの情報によって、ユーザは、携帯電話１０の種々の機能を利用することが可能となる。同様に、キーパッド１６は、種々のユーザ入力操作を提供するという点で従来方式のものと同じであってもよい。例えば、キーパッド１６は、典型的には、電話番号、電話リスト、連絡先情報、覚え書き、注記等のような英数字情報の入力を可能にする英数字キーを含む。さらに、キーパッド１６は、典型的には、通話を開始したり、通話に応答したりするための「通話送信」キー１８と、通話を終了させたり、「通話の停止」を行ったりするための「通話終了」キー２０などの特別のファンクションキーを含む。この特別のファンクションキーはまた、例えば、一般に行われているような各種電話機能、プロファイル、設定値等を選択する際に、メニュー用ディスプレイ１４を通じてナビゲートするためのメニューナビゲーションキー２２ａ、２２ｂ及び２２ｃを含んでいてもよい。キーパッド１６に含まれている別のキーとして、ボリュームキー２４、オン／オフパワーキー２６、並びに、ウェブブラウザ開始キー、カメラ・キー等のような各種キーが含まれていてもよい。
【００４１】
図１の特定の実施形態では、携帯電話１０はディスプレイ１４とは別個にキーパッド１６を含む。代替の実施形態において、ディスプレイ１４はそれ自体が１以上のキーを含むタッチスクリーンを備える。さらに別の実施形態では、ディスプレイ１４は、非常に限られたキーパッド１６か、あるいはキーパッド１６を全く含まないようにするために、電話１０を操作するために使用するキーのすべて又はほぼ全てを含むタッチスクリーンを備えるように構成してもよい。キーパッド１６又はタッチスクリーン／ディスプレイ１４に含まれるこの特殊な形態及び機能のキーは、広義において本発明には無関係であることは理解されよう。
【００４２】
携帯電話１０は、従来の移動電話の機能に加えて種々の機能を備える多機能装置である。例えば、本発明による携帯電話１０はメディア・プレイヤとしても機能する。さらに詳細には、携帯電話１０は、（例えばＭＰ３、．ＷＭＡ、ＡＣ−３等の）音声ファイル、（例えばＭＰＥＧ、．ＷＭＶ等の）ビデオファイル、（例えば．ＰＤＦ、ＪＰＥＧ、．ＢＭＰ等の）静止画像のような様々な種類のメディアオブジェクトを再生することができる。メディアオブジェクトは一般に携帯電話１０内の不揮発性メモリに記憶される。携帯電話１０はスピーカ２８又は本発明に準拠するステレオヘッドセット３０のようなアクセサリを通じて音声ファイルを再生する。ステレオヘッドセット３０は、適当なコネクタを介して携帯電話１０の音声出力装置にプラグインしたものであってもよいし、あるいは別様に該音声出力装置に接続されたものであってもよい。
【００４３】
以下に詳説する理由に対して、ヘッドセット３０は、音声出力装置を有する電子機器と共に用いられる従来のヘッドセットと関連づけられる前述の欠点を克服するものである。例えば、ヘッドセット３０は様々なタイプの電子機器と共に使用するのに適している。ヘッドセット３０は、ユーザが、再生された可聴音において周囲音をそのまま聞くことができるようにするために、処理回路構成に依拠するように構成されても、電子機器１０内において制御を行うように構成されてもよい。さらに、ヘッドセット３０は、再生された可聴音と周囲音とが組み合わされる態様をユーザが制御できるように構成される。ユーザは、再生された可聴音と周囲音のそれぞれのレベルを制御することができるため、ユーザは自分の好みに合わせて音声内容を調整することが可能となる。さらに、ヘッドセット３０は周囲音の空間特性をそのまま保持している。その結果、ユーザは、周囲音が発信された方向を判別することができる。これらの特性は安全性を高め、従来のヘッドセットと比べて音声内容を改善するものである。
【００４４】
例示した実施形態におけるヘッドセット３０は、携帯電話１０から音声信号を受信する入力部３２を含む。入力部３２には従来のオーディオジャック／プラグ、又は他の任意のタイプの適切な電気コネクタが含まれるものとする。好適には、音声信号は左右のチャネル用の可聴音を含むステレオ信号であることが望ましい。但し、音声信号は（例えばモノチャネル、マルチチャネル等以外の）ステレオ信号となる場合もあることを理解されたい。
【００４５】
ヘッドセット３０は、オーディオケーブル３６を介して入力部３２から音声信号を受信する処理装置３４を更に含む。更に、ヘッドセット３０はオーディオケーブル４０を介して処理装置３４に結合された一対のイヤホン３８を含む。イヤホン３８の各々は、イヤホン３８が電気信号を可聴音に変換するための電気音響スピーカ（図示せず）をイヤホンハウジング内に個々に含むという点において従来方式のものと同じである。処理装置３４は、携帯電話１０の出力側からそれぞれのイヤホン３８へ向けて左右のチャネルステレオ信号を出力する。
【００４６】
例示した実施形態において、イヤホン３８は、図２に示すように、それぞれにイヤホン３８のような「耳内（in-the-ear）」タイプのイヤホンである。本明細書に記載されているように、「耳内」タイプのイヤホン３８は、耳の耳介４４によって形成される空洞部４２内にユーザが通常装着するタイプのイヤホンである。イヤホン３８は、空洞部４２または外耳道への開口部４６の少なくともいずれかの中にぴったりとフィットする。これに対して、「耳外（outside-the-ear）タイプのイヤホンは、耳介４４によって形成される空洞部４２の外側、又はこの空洞部の最上部にユーザが通常装着するイヤホンである。
【００４７】
図１と図２に示すように、各イヤホン３８は周囲音を拾うマイク５０を含む。マイク５０はイヤホンハウジング内に配置され、イヤホン３８がユーザによって装着されると、マイク５０は耳介４４により形成された空洞部４２内に位置し、これにより該空洞部４２にさらされることとなる。したがって、図２の矢印５２によって表わされるように、耳介４４によって収集された周囲音波は、通常マイク５０へ向かって収束することになる。この結果、マイク５０は音の空間特性を保持しながら周囲音を拾うことになる。すなわち、耳の間隔と方向とに基づいて、音がどちらの方向から発信されたものであるかを人間が検出するのと同じ仕組みで、マイク５０は同じ周囲音を拾うことになる。これに対して、耳掛け型イヤホンに配置されたマイクではこのような空間特性が失われる。マイクが隔置され、耳介４４によって形成される空洞部内に配置されていないため、耳の方向と関連づけられる特性が失われることになる。
【００４８】
図２は、各イヤホン３８がどのようにスピーカ５６が配されているかを例示する。スピーカ５６は、（例えば圧電素子等の）従来方式のいずれのタイプのものであってもよい。図２に示されているように、スピーカ５６はオーディオケーブル４０を介して処理装置３４から音声信号を受け取る。逆に、マイク５０は周囲音を受け取り、このような周囲音を周囲音信号に変換する。この周囲音信号はオーディオケーブル４０を介して処理装置３４へ出力される。
【００４９】
図３および図４を参照しながら、以下さらに詳細に説明するように、周囲音信号がそれぞれのマイク５０によって提供されている状態で、処理装置３４は携帯電話１０から受信した音声信号を合成するように機能する。次いで、処理装置３４は、各イヤホン３８内のスピーカ５６へ当該合成信号を出力する。このような方法で、各イヤホン３８は、対応するマイク５０によって拾われた周囲音と共に携帯電話１０からの音声信号を再生することができる。したがって周囲音の空間特性は保持されることになる。
【００５０】
ここで再び図１を参照すると、実施形態として、ヘッドセット３０は一体型ユニットか、組み込み型ユニットであることが好ましい。詳細には、入力部３２、処理装置３４、及びイヤホン３８はオーディオケーブル３６、４０を介して相互に固定して接続される。したがって、ヘッドセット３０は、特定の電子機器、又は他のいずれのアクセサリ及び／またはアタッチメントにも依存しない組み込み型アクセサリであることを意味する。ヘッドセット３０には、周囲音を取得し、この周囲音を電子機器から得られる可聴音と合成して、所望の音声内容を提供するヘッドセット３０自身の処理装置３４が含まれる。
【００５１】
図３に、形象化された処理装置３０の一例である実施形態を示す。図４を参照しながら、以下さらに詳細に説明すると、処理装置３０には、ユーザが処理装置３４のオンとオフを行うためのオン／オフスイッチ７０が含まれる。オン位置では、ヘッドセット３０が機能して、周囲音を拾い、この周囲音を携帯電話１０から得られる音声信号と合成することで、周囲音と合成音の両方がユーザの耳に聞こえるようになる。オフ位置では、処理装置３４は、従来のヘッドセットの場合のように、基本的に、携帯電話から直接イヤホン５８へ音声信号が伝達される。オン／オフスイッチ７０はスライドスイッチとして示されているが、本発明の範囲から逸脱しなければ、いずれのタイプの好適なスイッチも利用できることは理解できよう。
【００５２】
処理装置３４にはボリューム制御スイッチ７２と混合スイッチ７４も含まれる。ボリューム制御スイッチ７２が配されていることによって、ヘッドセット３０により直接再生された可聴音のボリュームをユーザが制御することが可能となり、携帯電話１０の出力ボリュームを調整する必要はなくなる。混合スイッチ７４が配されていることによって、携帯電話１０から得られる音声信号と、マイク５０から得られる周囲音信号とを処理装置３４が合成する際の合成比率を、ユーザが調整することが可能になる。この混合信号を制御することによって、ユーザは、イヤホン３８が音声信号に加えてどの程度の周囲音を提供するかを調整することができる。状況に応じて、スピーカ５６へ出力される周囲音の量を実質的に減らすことで、ユーザは、（混んでいる列車内などにおける）周囲音のほとんど又はすべてを遮断することを選択することも可能である。低減レベルではあっても周囲の状況を把握することが望ましい（車の往来があるときのような）状況では、ユーザは、周囲音を低い方のレベルに保持するように調整することも可能である。さらに、ユーザは、周囲の状況を完全に把握することが望ましい（自分の居間にいるような）状況の下では、より高いレベルで周囲音の保持するように調整することも可能である。
【００５３】
図３に図示のスイッチ７２と７４は、ボリュームを調整したり、押される特定の矢印に応じて上下に混合比率を変える薄膜スイッチである。しかし、本発明の範囲から逸脱することなく、いずれのタイプの好適なスイッチでも使用可能であることは、当業者であれば容易に理解されよう。例えば、スイッチ７２とスイッチ７４の少なくともいずれかをロータリスイッチ、スライドスイッチ等によって置き換えることも可能である。また理解されるように、本明細書で説明する回路の任意のまたはすべての回路と共に好適なスイッチ７２と７４の少なくともいずれかはアナログ回路、デジタル回路又はこれらスイッチの任意の組み合わせであってもよい。本明細書においては、主としてアナログ設計された態様で本発明について説明するが、上記回路構成は、デジタル設計又はアナログ設計とデジタル設計との組み合わせによって代替することも可能であることは容易に理解されよう。
【００５４】
図４は処理装置３４の概略図である。処理装置３４は単一チャネルを表わすものとして単純化してある。しかし、当業者であれば、左右のチャネルステレオ信号を操作するステレオの実施形態の場合には、図４に示す回路を複製した回路を含み、それぞれのイヤホン３８へ提供される構成となることが理解されよう。
【００５５】
携帯電話１０は、オーディオケーブル３６内のライン８０を介して音声信号を処理装置３４へ出力する。ライン３６における音声信号は処理装置３４に含まれる加算器８２へ入力される。加算器８２の出力信号は、加算器８２の出力信号を増幅可能な利得増幅器８４へ入力される。増幅器の出力信号は、オーディオケーブル４０内のライン８６を介してイヤホン３８へ出力される。
【００５６】
マイク５０により拾われた周囲音はオーディオケーブル４０からライン８８を介して周囲音信号として処理装置３４へ入力される。ライン８８における周囲音信号は、周囲音信号を増幅するために、調整可能な利得増幅器９０へ入力される。増幅器９０は調整可能な利得増幅器９１へ周囲音信号を出力する。利得増幅器９１の利得は前述の混合スイッチ７４の形のレベル制御スイッチを用いて制御される。混合スイッチ７４は、本実施形態では、好適には加減抵抗器であり、加算器８２の別の入力部へ出力される、増幅器９１において増幅済み周囲音の信号レベルを制御する。
【００５７】
したがって、加算器８２は、携帯電話１０から得られる音声信号と周囲音信号とを合成するように機能する。混合スイッチ７４の調整によって、ユーザは、加算器８２の出力信号により表されるような音声信号に対する周囲音信号の相対振幅又は比率を制御することができる。したがって、ユーザは音声信号に対する周囲音の出力レベルを制御することができる。
【００５８】
ボリュームスイッチ７２も、本実施形態では好適には加減抵抗器であることが望ましいが、増幅器８４の利得を調整するように機能するものである。したがって、ユーザは可聴音及び周囲音信号を増幅する増幅器８４の利得を制御することも可能である。この結果、ユーザはヘッドセットにより再生される音のボリューム全体を制御することが可能となる。
【００５９】
好適な実施形態において、処理装置３４は、携帯電話１０からライン８０上で受信された音声信号のレベルを検出する役割を果たすオプションのレベル検出器回路９２をさらに含むことができる。レベル検出器回路９２は、ライン８０における音声信号のレベルに比例する利得制御信号をライン９４上で出力するように設計されている。ライン９４上の利得制御信号は調整可能な利得増幅器９０の利得を調整する役割を果たす。この結果、処理装置３４は、受信する音声信号のレベルの変化に比例して周囲音信号のレベルを自動的に調整することが可能になる。これにより、たとえユーザが携帯電話１０又は別の電子機器の音声出力装置のボリュームを調整しても、音声信号と周囲音信号の混合比率は実質的に一定の状態となる。図示されてはいないが、レベル検出器回路９２は、好適には、（例えば音声信号における突然の静かな／ボリュームの大きな時間に起因して生じる周囲音のレベルの突然の変化を避けるために）増幅器９０の応答を滑らかに行うためのローパスフィルタが含まれていることが望ましい。
【００６０】
処理装置３４は、電力供給装置１００から他の回路への電力のオンとオフを行う役割を果たす前述のスイッチ７０を含む。電力供給装置１００は好適にはバッテリのような組み込み型であることが望ましい。上記とは別に、処理装置３４は電子機器それ自体から電力を受け取るように設計することができる。スイッチ７０はその一部としてオプションのスイッチ７０ａを含むことも可能である。スイッチ７０ａは、開回路を有効状態のままにするために、作動中は通常開いている（スイッチ７０はオンである）。スイッチ７０がオフになると、スイッチ７０ａは閉状態になる。その結果、ライン８０上の音声信号は、処理装置３４内の回路をバイパスし、ライン８６でイヤホン３８へ直接出力される。
【００６１】
さらに、処理装置３４は、ヘッドセット３０を用いて携帯電話１０とのハンズフリー通信中にユーザの音声を拾うためのマイク１０２を含むものであってもよい。マイク１０２は従来の技術を用いてライン１０４を介して携帯電話１０へ音声信号を出力する。
【００６２】
図５は処理装置３４の代替の実施形態を示す。本実施形態では、入力部３２がブルートゥーストランシーバ１０６のような低出力無線インタフェースによって置き換えられている。ブルートゥーストランシーバ１０６は、ヘッドセット３０と、同様に装備された携帯電話１０又は別の電子機器との間で従来方式の通信を行うようにプログラムされたものであってもよい。このような実施形態ではオーディオケーブル３６は不要となる。
【００６３】
さらに、本明細書で説明する実施形態は本発明の範囲から逸脱することなく修正することができる。例えば、処理装置３４は、イヤホン３８と入力部３２との間のインラインで接続されたハウジングの一部として図示されているが、処理装置３４は、入力部３２を形成するジャックの一部か、イヤホン３８のハウジングの少なくともいずれかに収納することも可能である。上記とは別に、ブルートゥースの実施形態では、ブルートゥースヘッドセットとして公知のものと同様に、ユーザの耳の後ろに装着するように設計された小さなハウジングの中に処理装置３４を一体化させるようにしてもよい。
【００６４】
本発明を図示し、或る好適な実施形態と関連して本発明について説明したが、本明細書を読み、理解したとき、他の当業者がその均等物及び変更例を考えるであろうことは言うまでもない。本発明はこのような全ての均等物及び変更例を含むものであり、請求項の範囲によってのみ制限されるものである。
【図面の簡単な説明】
【００６５】
【図１】携帯電話の周囲の状況と、本発明の実施形態によるヘッドセットとを示す図である。
【図２】本発明の実施形態に従って耳介の空洞部内に配置されるように位置決めされたマイクを含むイヤホンの断面図である。
【図３】本発明の実施形態によるヘッドセットの処理装置の正面図である。
【図４】本発明の実施形態による図３の処理装置の単純化された回路図である。
【図５】本発明の別の実施形態による処理装置の単純化された回路図である。
【図１】
2009529275.tif 000003
【図２】
2009529275.tif 000004
【図３】
2009529275.tif 000005
【図４】
2009529275.tif 000006
【図５】
2009529275.tif 000007
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
可聴音を再生するためのヘッドセットであって、
音声信号を電子機器から受信する入力部と、
電気信号を可聴音に変換するための電気音響スピーカを有する少なくとも１つのイヤホンと、
周囲音を受信し、該周囲音を周囲音信号に変換する少なくとも１つのマイクと、
前記入力部と前記少なくとも１つのイヤホンとを備えた一体型ユニットとして形成される処理回路と、を備え、
前記処理回路は、前記電子機器からの前記音声信号を前記周囲音信号と合成し、前記合成信号を前記少なくとも１つのイヤホンへ出力する回路を含み、
前記電気音響スピーカは、前記音声信号から得られる可聴音と組み合わされた前記周囲音を再生し、
前記少なくとも１つのイヤホンは、前記少なくとも１つのマイクを含み、
さらに、前記イヤホンは、ユーザの耳の中へ挿入された際に、耳の耳介によって形成される空洞部内に前記マイクが配置された状態となるように構成されることを特徴とするヘッドセット。
【請求項２】
前記入力部は、前記電子機器と直接接続するように構成された電気コネクタを備えることを特徴とする請求項１に記載のヘッドセット。
【請求項３】
前記電気コネクタは、オーディオプラグタイプのコネクタを備えることを特徴とする請求項２に記載のヘッドセット。
【請求項４】
前記処理回路は第１のオーディオケーブルを介して前記電気コネクタに結合され、第２のオーディオケーブルを介して前記少なくとも１つのイヤホンに結合されており、これらすべては前記一体型ユニットの一部として形成されていることを特徴とする請求項２に記載のヘッドセット。
【請求項５】
前記電子機器は携帯電話であり、該電子機器と組み合わされることを特徴とする請求項２に記載のヘッドセット。
【請求項６】
前記入力部は、前記電子機器に含まれるインタフェースと通信を行う低出力無線インタフェースを備えることを特徴とする請求項１に記載のヘッドセット。
【請求項７】
前記低出力無線インタフェースはブルートゥースインタフェースであることを特徴とする請求項６に記載のヘッドセット。
【請求項８】
前記電子機器は携帯電話であり、該電子機器と組み合わされることを特徴とする請求項６に記載のヘッドセット。
【請求項９】
前記ヘッドセットは、前記音声信号から得られる可聴音と前記周囲音とを再生するための電気音響スピーカを個々に含む一対のイヤホンを備えることを特徴とする請求項１に記載のヘッドセット。
【請求項１０】
前記少なくとも１つのイヤホンは耳栓式のイヤホンであることを特徴とする請求項１に記載のヘッドセット。
【請求項１１】
前記耳栓式のイヤホンは前記少なくとも１つのマイクを含むことを特徴とする請求項１０に記載のヘッドセット。
【請求項１２】
可聴音を再生するためのヘッドセットであって、
電子機器から音声信号を受信する入力部と、
電気信号を可聴音に変換するための電気音響スピーカを有する少なくとも１つのイヤホンと、
周囲音を受信し、前記周囲音を周囲音信号に変換する少なくとも１つのマイクと、
処理回路と、を備え、
前記処理回路は、前記電子機器からの前記音声信号を前記少なくとも１つのマイクから得られる前記周囲音信号と合成し、前記合成信号を前記少なくとも１つのイヤホンへ出力する回路を含み、
前記電気音響スピーカは、前記音声信号からの可聴音と組み合わされた前記周囲音を再生し、
前記少なくとも１つのイヤホンは、前記少なくとも１つのマイクを含み、
さらに、前記イヤホンは、ユーザの耳の中へ挿入された際に、耳の耳介によって形成される空洞部内に前記マイクが配置された状態となるように構成されることを特徴とするヘッドセット。
【請求項１３】
前記ヘッドセットは一対のイヤホンを備え、各イヤホンはそれぞれの電気音響スピーカと、対応するマイクとを含み、前記それぞれの電気音響スピーカは、前記対応するマイクによって受信された前記周囲音を再生することを特徴とする請求項１２に記載のヘッドセット。
【請求項１４】
前記処理回路は、該処理回路が前記音声信号と前記周囲音信号とを合成する合成比率を調整するための、ユーザにより調整可能な混合回路構成を備えることを特徴とする請求項１２に記載のヘッドセット。
【請求項１５】
前記処理回路は、前記合成信号のボリュームを前記比率に左右されずに調整するための、ユーザにより調整可能なボリューム調整回路を備えることを特徴とする請求項１４に記載のヘッドセット。
【請求項１６】
前記処理回路は、前記入力信号の振幅の変化を補償し、それによって、前記比率が一定状態となるようにするための利得制御回路を備えることを特徴とする請求項１４に記載のヘッドセット。
【請求項１７】
前記処理回路は、前記入力信号を、実質的な変更を伴うことなく前記少なくとも１つのイヤホンまで伝達することを可能にするバイパス回路構成を備えることを特徴とする請求項１２に記載のヘッドセット。
【請求項１８】
前記処理回路は、前記入力部と前記少なくとも１つのイヤホンとを備えた一体型ユニットとして形成されることを特徴とする請求項１２に記載のヘッドセット。
【請求項１９】
可聴音を再生するためのヘッドセットであって、
音声信号を電子機器から受信する入力部と、
電気信号を可聴音に変換するための電気音響スピーカを有する少なくとも１つのイヤホンと、
周囲音を受信し、該周囲音を周囲音信号に変換する少なくとも１つのマイクと、
前記処理回路と、を備え、
前記処理回路は、前記電子機器からの前記音声信号を前記周囲音信号と合成し、該合成信号を前記少なくとも１つのイヤホンへ出力する回路を含み、
前記電気音響スピーカは、前記音声信号から得られる可聴音と組み合わされた前記周囲音を再生し、
前記処理回路は、該処理回路が前記音声信号と前記周囲音信号とを合成する合成比率を調整するための、ユーザにより調整可能な混合回路構成を備え、
前記少なくとも１つのイヤホンは、前記少なくとも１つのマイクを含み、
さらに、前記イヤホンは、ユーザの耳の中へ挿入された際に、耳の耳介によって形成される空洞部内に前記マイクが配置された状態となるように構成されることを特徴とするヘッドセット。
【請求項２０】
前記処理回路は、前記合成信号のボリュームを前記比率に左右されずに調整するための、ユーザにより調整可能なボリューム調整回路を備えることを特徴とする請求項１９に記載のヘッドセット。
【請求項２１】
前記処理回路は、前記入力信号の振幅の変化を補償し、それによって、前記比率が一定状態を保つようにするための利得制御回路を備えることを特徴とする請求項１９に記載のヘッドセット。
【請求項２２】
前記処理回路は、前記入力信号を、実質的な変更を伴うことなく前記少なくとも１つのイヤホンまで伝達することを可能にするバイパス回路構成を備えることを特徴とする請求項１９に記載のヘッドセット。
【請求項２３】
前記処理回路は、前記入力部と前記少なくとも１つのイヤホンとを備えた一体型ユニットとして形成されることを特徴とする請求項１９に記載のヘッドセット。
【請求項２４】
可聴音を再生するためのヘッドセットであって、
音声信号を電子機器から受信する入力部と、
電気信号を可聴音に変換するための電気音響スピーカを有する少なくとも１つのイヤホンと、
周囲音を受信し、該周囲音を周囲音信号に変換する少なくとも１つのマイクと、
前記入力部と前記少なくとも１つのイヤホンとを備えた一体型ユニットとして形成される処理回路と、を備え、
前記処理回路は、前記電子機器からの前記音声信号を前記周囲音信号と合成し、前記合成信号を前記少なくとも１つのイヤホンへ出力する回路を含み、
前記電気音響スピーカは、前記音声信号から得られる可聴音と組み合わされた前記周囲音を再生し、
前記ヘッドセットは、前記音声信号から得られる可聴音と前記周囲音とを再生するための電気音響スピーカを個々に含む一対のイヤホンを備え、
前記ヘッドセットは一対のマイクを備え、個々のマイクは上記一対のイヤホンのそれぞれのイヤホンの中に含まれることを特徴とするヘッドセット。
【手続補正書】
【提出日】平成20年10月7日(2008.10.7)
【手続補正１】
【補正対象書類名】特許請求の範囲
【補正対象項目名】全文
【補正方法】変更
【補正の内容】
【特許請求の範囲】
【請求項１】
可聴音を再生するためのヘッドセットであって、
音声信号を電子機器から受信する入力部と、
電気信号を可聴音に変換するための電気音響スピーカを有する少なくとも１つのイヤホンと、
周囲音を受信し、該周囲音を周囲音信号に変換する少なくとも１つのマイクと、
前記入力部と前記少なくとも１つのイヤホンとを備えた一体型ユニットとして形成される処理回路と、を備え、
前記処理回路は、前記電子機器からの前記音声信号を前記周囲音信号と合成し、前記合成信号を前記少なくとも１つのイヤホンへ出力する回路を含み、
前記電気音響スピーカは、前記音声信号から得られる可聴音と組み合わされた前記周囲音を再生し、
前記少なくとも１つのイヤホンは、前記少なくとも１つのマイクを含み、
さらに、前記イヤホンは、ユーザの耳の中へ挿入された際に、耳の耳介によって形成される空洞部内に前記マイクが配置された状態となるように構成されることを特徴とするヘッドセット。
【請求項２】
前記入力部は、前記電子機器と直接接続するように構成された電気コネクタを備えることを特徴とする請求項１に記載のヘッドセット。
【請求項３】
可聴音を再生するためのヘッドセットであって、
電子機器から音声信号を受信する入力部と、
電気信号を可聴音に変換するための電気音響スピーカを有する少なくとも１つのイヤホンと、
周囲音を受信し、前記周囲音を周囲音信号に変換する少なくとも１つのマイクと、
処理回路と、を備え、
前記処理回路は、前記電子機器からの前記音声信号を前記少なくとも１つのマイクから得られる前記周囲音信号と合成し、前記合成信号を前記少なくとも１つのイヤホンへ出力する回路を含み、
前記電気音響スピーカは、前記音声信号からの可聴音と組み合わされた前記周囲音を再生し、
前記少なくとも１つのイヤホンは、前記少なくとも１つのマイクを含み、
さらに、前記イヤホンは、ユーザの耳の中へ挿入された際に、耳の耳介によって形成される空洞部内に前記マイクが配置された状態となるように構成されることを特徴とするヘッドセット。
【請求項４】
前記ヘッドセットは一対のイヤホンを備え、各イヤホンはそれぞれの電気音響スピーカと、対応するマイクとを含み、前記それぞれの電気音響スピーカは、前記対応するマイクによって受信された前記周囲音を再生することを特徴とする請求項３に記載のヘッドセット。
【請求項５】
前記処理回路は、該処理回路が前記音声信号と前記周囲音信号とを合成する合成比率を調整するための、ユーザにより調整可能な混合回路構成を備えることを特徴とする請求項３に記載のヘッドセット。
【請求項６】
前記処理回路は、前記合成信号のボリュームを前記比率に左右されずに調整するための、ユーザにより調整可能なボリューム調整回路を備えることを特徴とする請求項５に記載のヘッドセット。
【請求項７】
前記処理回路は、前記入力信号の振幅の変化を補償し、それによって、前記比率が一定状態となるようにするための利得制御回路を備えることを特徴とする請求項５に記載のヘッドセット。
【請求項８】
前記処理回路は、前記入力信号を、実質的な変更を伴うことなく前記少なくとも１つのイヤホンまで伝達することを可能にするバイパス回路構成を備えることを特徴とする請求項３に記載のヘッドセット。
【請求項９】
前記処理回路は、前記入力部と前記少なくとも１つのイヤホンとを備えた一体型ユニットとして形成されることを特徴とする請求項３に記載のヘッドセット。
【請求項１０】
可聴音を再生するためのヘッドセットであって、
音声信号を電子機器から受信する入力部と、
電気信号を可聴音に変換するための電気音響スピーカを有する少なくとも１つのイヤホンと、
周囲音を受信し、該周囲音を周囲音信号に変換する少なくとも１つのマイクと、
前記入力部と前記少なくとも１つのイヤホンとを備えた一体型ユニットとして形成される処理回路と、を備え、
前記処理回路は、前記電子機器からの前記音声信号を前記周囲音信号と合成し、前記合成信号を前記少なくとも１つのイヤホンへ出力する回路を含み、
前記電気音響スピーカは、前記音声信号から得られる可聴音と組み合わされた前記周囲音を再生し、
前記ヘッドセットは、前記音声信号から得られる可聴音と前記周囲音とを再生するための電気音響スピーカを個々に含む一対のイヤホンを備え、
前記ヘッドセットは一対のマイクを備え、個々のマイクは上記一対のイヤホンのそれぞれのイヤホンの中に含まれることを特徴とするヘッドセット。
【国際調査報告】
2009529275.tif 000008
2009529275.tif 000009
2009529275.tif 000010